(57)【要約】【課題】簡易な構成でありながらも、枠体の設計に左右されずに採用することができるヒンジ機構を備えた遊技機を提供する。【解決手段】中枠４にヒンジ機構１０を介して前枠６が開閉自在に支持された遊技機であって、ヒンジ機構は、鉛直上方に平面部１１ａを位置させて中枠４の幅方向一端部に固定された第１本体部１１と、第１本体部に前枠６の幅方向一端部を回転自在に連結する回転軸部１３と、前枠６が閉じられて中枠４に対して平行になったとき、当該中枠４と前枠６との対向間隔であって第１本体部の鉛直上方に位置する侵入防止部材２０と、を備え、侵入防止部材は、前枠６の一端部の移動軌跡に沿った湾曲面２０ａを有する。【選択図】図２
2013146335.tif 000002
【特許請求の範囲】
【請求項１】
第１枠体にヒンジ機構を介して第２枠体が開閉自在に支持された遊技機であって、
前記ヒンジ機構は、
鉛直上方に平面部を位置させて前記第１枠体の幅方向一端部に固定された第１本体部と、
前記第１本体部に前記第２枠体の幅方向一端部を回転自在に連結する回転軸部と、
前記第２枠体が閉じられて前記第１枠体に対して平行になったとき、当該第１枠体と第２枠体との対向間隔に位置するとともに前記第１本体部の鉛直上方に位置する侵入防止部材と、を備え、
前記侵入防止部材は、
前記第２枠体の一端部の移動軌跡に沿った湾曲面を有することを特徴とする遊技機。
【請求項２】
前記侵入防止部材は、
前記第１枠体の幅方向一端部側を揺動軸とし、前記第１枠体の幅方向他端部側を自由端として前記第１枠体に揺動可能に設けられ、
前記第２枠体が所定量以上回転して、当該第２枠体の幅方向一端部が前記第１枠体から離間すると、前記自由端側が前記第２枠体の幅方向一端部に追従することを特徴とする請求項１記載の遊技機。
【請求項３】
前記侵入防止部材の自由端側を前記第１枠体側から前記第２枠体側へ付勢する付勢部材をさらに備えたことを特徴とする請求項２記載の遊技機。
【請求項４】
前記侵入防止部材の揺動範囲を規制するストッパーをさらに備えたことを特徴とする請求項２または３に記載の遊技機。
【発明の詳細な説明】
【技術分野】
【０００１】
本発明は、ヒンジ機構を介して第１枠体に第２枠体が開閉自在に支持された遊技機に関する。
【背景技術】
【０００２】
一般的に、遊技機は、外枠の幅方向一端部にヒンジ機構が設けられ、このヒンジ機構に、ガラス板等が保持される前枠や、遊技盤が保持される中枠等が開閉自在に軸支されている。ヒンジ機構は、通常、外枠の鉛直方向上端部と下端部とに設けられているが、遊技機の特性上、下端部に設けられたヒンジ機構には遊技球が侵入するおそれがある。ヒンジ機構上に遊技球が侵入した状態で前枠や中枠を閉じると、前枠や中枠と外枠との間に遊技球が挟まれてしまい、前枠や中枠を閉じることができなくなってしまったり、また、遊技球の挟み込みによって各枠が損傷したりするおそれがある。
【０００３】
そこで、特許文献１に示される遊技機においては、下端部に設けられるヒンジ機構に遊技球穴部が形成され、ヒンジ機構上に遊技球が滞留しないようにしている。
【先行技術文献】
【特許文献】
【０００４】
【特許文献１】特開２０１１−１０３９７８号公報
【発明の概要】
【発明が解決しようとする課題】
【０００５】
上記の前枠や中枠は、ガラス板や遊技盤を保持しているため重量が大きく、こうした前枠や中枠の荷重に耐え得る強度がヒンジ機構には要求される。そのため、上記特許文献１に示される遊技機のように、遊技球穴部を形成してしまうと、ヒンジ機構の強度が低下してしまい、前枠や中枠の重量等の設計によっては上記の構成を採用することができないという問題がある。また、ヒンジ機構に侵入した遊技球を排出する構成は種々開発されているが、そのいずれも構成が複雑であり、製造コストが上昇したり設計が煩雑化したりしてしまうという課題がある。
【０００６】
本発明の目的は、簡易な構成でありながらも、枠体の設計に左右されずに採用することができるヒンジ機構を備えた遊技機を提供することである。
【課題を解決するための手段】
【０００７】
上記課題を解決するために、本発明の遊技機は、第１枠体にヒンジ機構を介して第２枠体が開閉自在に支持された遊技機であって、前記ヒンジ機構は、鉛直上方に平面部を位置させて前記第１枠体の幅方向一端部に固定された第１本体部と、前記第１本体部に前記第２枠体の幅方向一端部を回転自在に連結する回転軸部と、前記第２枠体が閉じられて前記第１枠体に対して平行になったとき、当該第１枠体と第２枠体との対向間隔に位置するとともに前記第１本体部の鉛直上方に位置する侵入防止部材と、を備え、前記侵入防止部材は、前記第２枠体の一端部の移動軌跡に沿った湾曲面を有することを特徴とする。
【０００８】
また、前記侵入防止部材は、前記第１枠体の幅方向一端部側を揺動軸とし、前記第１枠体の幅方向他端部側を自由端として前記第１枠体に揺動可能に設けられ、前記第２枠体が所定量以上回転して、当該第２枠体の幅方向一端部が前記第１枠体から離間すると、前記自由端側が前記第２枠体の幅方向一端部に追従するとよい。
【０００９】
また、前記侵入防止部材の自由端側を前記第１枠体側から前記第２枠体側へ付勢する付勢部材をさらに備えるとよい。
【００１０】
また、前記侵入防止部材の揺動範囲を規制するストッパーをさらに備えるとよい。
【図面の簡単な説明】
【００１１】
【図１】扉が開放された状態を示す遊技機本体の斜視図である。
【図２】本実施形態のヒンジ機構を説明するための概念図である。
【図３】外枠に対する中枠の開放角度が所定角度になるまでの動作を説明する図である。
【図４】外枠に対する中枠の開放角度が所定角度以上になった場合の動作を説明する図である。
【図５】遊技球の挟み込み防止機能を説明する図である。
【図６】他の遊技球の挟み込み防止機能を説明する図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機本体１の斜視図であり、扉が開放された状態を示している。図示のように、遊技機本体１は、略矩形状に組まれた四辺によって囲繞空間が形成される外枠２と、外枠２と同様に、略矩形状に組まれた四辺によって囲繞空間が形成されており、この囲繞空間に遊技盤３が保持された中枠４と、ガラス製または樹脂製の透過板５が保持された前枠６と、を備えている。
【００１４】
外枠２の幅方向一端部には、上辺にヒンジ機構７が設けられており、また、このヒンジ機構７よりも鉛直下方にはヒンジ機構１０が設けられている。そして、これら両ヒンジ機構７、１０によって、外枠２に中枠４および前枠６が開閉自在に軸支されており、中枠４および前枠６を外枠２に対して閉じると、各枠２、４、６が平行になり、遊技盤３と透過板５とが所定の間隔を維持して平行に対面することとなる。
【００１５】
なお、中枠４は、外枠２および前枠６よりも周長が小さく、外枠２に対して中枠４および前枠６が閉じられた状態では、中枠４が外枠２および前枠６内に収容されるため、当該中枠４を外部から視認することができない寸法関係となっている。また、中枠４および前枠６は、外枠２に対して独立して開閉することが可能となっている。
【００１６】
以下では、ヒンジ機構１０の構造について説明するが、ここでは、中枠４に設けられたヒンジ機構１０に、前枠６が開閉自在に軸支される場合について説明し、外枠２については説明を省略する。したがって、本実施形態では、中枠４が本発明の第１枠体に相当し、前枠６が本発明の第２枠体に相当することとなる。ただし、以下の構成によって前枠６を外枠２に軸支させてもよいし、また、外枠２に固定したヒンジ機構１０に中枠４を軸支させることとしてもよい。いずれにしても、ヒンジ機構１０は、相対的に開閉動作する第１枠体および第２枠体の間に介在するものであり、枠体の種別等によって適用が制限されるものではない。
【００１７】
図２は、本実施形態のヒンジ機構１０を説明するための概念図である。本実施形態においては、四辺を有する中枠４のうち、遊技機本体１の正面視で左側に位置する左辺４ａにヒンジ機構１０が設けられている。以下の図では、ヒンジ機構１０が設けられる遊技機本体１の左側をＬとし、前枠６の自由端側となる遊技機本体１の右側をＲとして説明する。
【００１８】
中枠４の左辺４ａは、左側端面４ａ１を遊技機本体１の正面側に突出させるとともに、この左側端面４ａ１からＲ方向に所定距離離隔した位置において、突出片４ｂを遊技機本体１の正面側に突出させている。そして、ヒンジ機構１０は、これら中枠４の左側端面４ａ１と突出片４ｂとの間に配されている。
【００１９】
ヒンジ機構１０は、中枠４の左辺４ａに固定される金属製の平板部材からなる第１本体部１１を備えている。この第１本体部１１は、平面部１１ａと中枠４の左辺４ａとのなす角度が直角に維持されており、当該平面部１１ａを鉛直上方に位置させた状態で、中枠４の左辺４ａから遊技機本体１の正面側に突出するように固定されている。
【００２０】
また、ヒンジ機構１０は、金属製の平板部材を直角に屈曲させて形成される第２本体部１２を備えている。この第２本体部１２は、第１本体部１１における平面部１１ａに重ね合わされた平面部１２ａと、この平面部１２ａの一端面から鉛直上方に向けて９０度屈曲する固定面１２ｂと、を有している。第２本体部１２の平面部１２ａは、第１本体部１１の平面部１１ａよりも面積が小さく形成されており、これら両平面部１１ａ、１２ａを鉛直方向に貫通する回転軸部１３によって、平面部１１ａに回転自在に軸支されている。また、固定面１２ｂは、前枠６、より詳細には、前枠６に固定された補強用板金８の背面に固定される。これにより、前枠６は回転軸部１３を回転軸として回転することとなり、この回転によって、前枠６が中枠４に対して開閉されることとなる。
【００２１】
なお、補強用板金８は、遊技機本体１の背面側に直角に屈曲する端部８ａを備えており、この端部８ａからＲ方向に所定距離離隔した位置において突起片８ｂを遊技機本体１の背面側に突出させ、これら端部８ａと突起片８ｂとの間に固定面１２ｂが固定されている。このとき、端部８ａは、中枠４の左側端面４ａ１よりも僅かにＲ方向に位置しており、また、端部８ａにおける遊技機本体１の背面側先端に位置する背面突出部８ａ１が、中枠４の左側端面４ａ１の正面側端部よりも背面側に位置している。なお、背面突出部８ａ１は、回転軸部１３と背面突出部８ａ１とを結ぶ直線を曲率半径とする湾曲状となっている。
【００２２】
また、図２に示すように、前枠６が中枠４に対して閉じられた状態では、中枠４と前枠６とが平行になるが、このとき、中枠４と前枠６との間に形成される対向間隔であって、第１本体部１１の鉛直上方には、侵入防止部材２０が設けられている。この侵入防止部材２０は、左側端面４ａ１と突出片４ｂとの間に収容可能な幅であって、かつ、中枠４に対して前枠６が閉じられたときに、中枠４の左辺４ａと補強用板金８との間に収容可能な厚さに構成されている。また、侵入防止部材２０は、遊技機本体１の正面側に位置する面、換言すれば、補強用板金８の背面に対向する面を湾曲させた湾曲面２０ａを備えている。この湾曲面２０ａは、平面部１１ａ上に落下した遊技球が侵入防止部材２０内に侵入しないように、鉛直方向の高さが遊技球の直径と同程度に構成されている。
【００２３】
また、湾曲面２０ａは、遊技機本体１の正面側から背面側に向かって凸となる湾曲形状、より詳細には、当該湾曲面２０ａと回転軸部１３とを結ぶ直線を曲率半径（回転軸部１３を曲率中心）としており、補強用板金８が回転軸部１３を軸として回転したときに、背面突出部８ａ１と湾曲面２０ａとが滑らかに相対移動するように構成されている。つまり、湾曲面２０ａは、前枠６（補強用板金８）の端部８ａの移動軌跡に沿った曲率を有することとなる。
【００２４】
そして、侵入防止部材２０のＬ側の端部近傍には揺動軸部２１が固定されており、この揺動軸部２１が、左辺４ａに固定された揺動支持片２２に軸支されている。また、侵入防止部材２０における湾曲面２０ａの背面と、左辺４ａの正面との間には、板バネからなる付勢部材２３が設けられている。この付勢部材２３は、左辺４ａと侵入防止部材２０とが互いに離隔する方向、換言すれば、侵入防止部材２０を遊技機本体１の正面側に付勢する方向に付勢力を作用させている。
【００２５】
ただし、補強用板金８には、侵入防止部材２０に向けて突出する突起片８ｂが設けられており、前枠６が中枠４に対して閉じられた状態では、突起片８ｂが、侵入防止部材２０における湾曲面２０ａの接触端部２０ａ１に接触して、当該侵入防止部材２０が図示の姿勢に保持されている。また、侵入防止部材２０のＲ側の端部には、突出片４ｂに向かって突出する揺動規制部２４が設けられており、突出片４ｂには、揺動規制部２４に対して遊技機本体１の正面側に対面する係止部４ｂ１が設けられている。
【００２６】
前枠６（補強用板金８）が中枠４に対して所定量以上開放された状態では、前枠６（補強用板金８）の開放動作に追従するように揺動軸部２１を軸として侵入防止部材２０が回動するが、このとき、侵入防止部材２０の回動は、揺動規制部２４が係止部４ｂ１に接触することによって規制される。つまり、揺動規制部２４と係止部４ｂ１とは、侵入防止部材２０の揺動範囲を規制するストッパーとして機能することとなる。
【００２７】
次に、図３および図４を用いて、上記の構成からなるヒンジ機構１０の動作について詳細に説明する。図３は、中枠４に対する前枠６の開放角度が所定角度になるまでの動作を説明する図であり、図４は、中枠４に対する前枠６の開放角度が所定角度以上になった場合の動作を説明する図である。
【００２８】
前枠６（補強用板金８）が中枠４に対して閉じられた状態から当該前枠６を開放すると、図３（ａ）および図３（ｂ）に示すように、回転軸部１３を軸として第２本体部１２が矢印ｘ方向に回転し、この回転と一体となって、補強用板金８が矢印ｙ方向に移動する。すると、突起片８ｂは補強用板金８と一体であることから、突起片８ｂが侵入防止部材２０の湾曲面２０ａから離間する方向に移動する。したがって、侵入防止部材２０は、付勢部材２３の付勢力によって、自由端側（Ｒ側の端部）が遊技機本体１の正面側に移動しようとするが、このとき、補強用板金８の端部８ａが湾曲面２０ａに接触するため、侵入防止部材２０は、前枠６（補強用板金８）が閉じられているときとほぼ同じ姿勢に保持される。
【００２９】
そして、図３（ｂ）に示すように、中枠４に対する前枠６の開放角度が所定角度になり、背面突出部８ａ１が、侵入防止部材２０における湾曲面２０ａの接触端部２０ａ１に接触した状態で、前枠６を中枠４に対してさらに開放したとする。すると、図４（ａ）に示すように、付勢部材２３の付勢力によって、侵入防止部材２０のＲ側の端部が揺動軸部２１を軸として回動し、湾曲面２０ａの接触端部２０ａ１が、補強用板金８の端部８ａに接触する。この状態で、さらに前枠６（補強用板金８）を開放すると、接触端部２０ａ１と端部８ａとの接触状態が維持されたまま、補強用板金８の開放動作に追従するように侵入防止部材２０が回動する。
【００３０】
そして、図４（ｂ）に示すように、接触端部２０ａ１と端部８ａとの接触が解除される前に、揺動規制部２４が係止部４ｂ１に係止され、侵入防止部材２０のそれ以上の回動が規制される。なお、本実施形態においては、揺動規制部２４が係止部４ｂ１に係止されるのと同時に、前枠６（補強用板金８）のそれ以上の開放も規制されるようにしており、よって、接触端部２０ａ１と補強用板金８とが常に接触状態に維持されるようにしている。
【００３１】
これにより、付勢部材２３の付勢力は、侵入防止部材２０を介して、常に、前枠６（補強用板金８）を開く方向に作用することとなる。つまり、前枠６（補強用板金８）が開放されているときに、前枠６を閉じる方向に抗する力がもたらされるので、何らかの拍子に前枠６が勢いよく閉じられたとしても、その勢いが減殺される緩衝機能を備えることとなる。また、例えば、付勢部材２３の付勢力は、前枠６を一定量の開放状態に維持するストッパーとしても機能する。
【００３２】
したがって、メンテナンス等を行う際に、作業者は、前枠６を手で抑えることなく作業を行うことが可能となり、しかも、何らかの拍子に前枠６を閉じる力が作用したとしても、作業者の体が挟まれて怪我をしたり、前枠６が中枠４に勢いよく閉じられた際の衝撃によって、透過板５が割れたり、遊技機本体１の種々の部材が損傷したりするおそれを低減することができる。
【００３３】
そして、図５に示すように、前枠６が開放されているときに、遊技球が第１本体部１１の平面部１１ａ上に落下するとともに、当該平面部１１ａ上に遊技球が滞留しているとする。この状態で、前枠６（補強用板金８）を中枠４に対して閉じると、遊技球は、補強用板金８の端部８ａによって湾曲面２０ａに沿って図中ｚ方向に押し出されて、平面部１１ａから鉛直下方に落下する。このように、前枠６（補強用板金８）を中枠４に対して閉じたときに、中枠４と前枠６（補強用板金８）との間に遊技球が挟み込まれてしまい、前枠６（補強用板金８）を閉じることができなくなってしまったり、また、遊技球の挟み込みによって中枠４や前枠６（補強用板金８）が損傷してしまったりするおそれを低減することができる。
【００３４】
つまり、本実施形態の侵入防止部材２０によれば、簡易な構成でありながら、遊技球の挟み込みを防止することができ、また、前枠６が一定の開放状態に維持されるので作業性が向上し、さらには、閉じ方向に対する勢いが緩衝されるので、各種の部材が損傷するおそれを低減することができる。
【００３５】
なお、本実施形態においては、侵入防止部材２０が前枠６（補強用板金８）に追従して揺動する場合について説明したが、侵入防止部材２０は、必ずしも揺動可能な構成でなくともよい。侵入防止部材２０は、少なくとも、補強用板金８の端部８ａの移動軌跡に沿った湾曲面２０ａを有していれば、上記のように、第１本体部１１の平面部１１ａ上から遊技球を排出することができる。
【００３６】
ただし、図６（ａ）に示す比較例のように、侵入防止部材２０が揺動せずに、第１本体部１１の平面部１１ａに固定されている場合には、補強用板金８の開放角度が一定角度以上となったときに、端部８ａと接触端部２０ａ１との間に間隙が形成され、補強用板金８を中枠４に対して閉じるときに、この間隙に遊技球が挟み込まれるおそれがある。これに対して、図６（ｂ）に示すように、侵入防止部材２０を補強用板金８の開放動作に伴って揺動することとすれば、侵入防止部材２０の接触端部２０ａ１と、補強用板金８の端部８ａとが常に接触状態に維持されることから、端部８ａと接触端部２０ａ１との間に遊技球が挟み込まれるおそれがなく、遊技球の挟み込み防止機能を全体として一層向上することができる。
【００３７】
なお、侵入防止部材２０を揺動させることとした場合に、侵入防止部材２０を揺動させるための具体的な構成は特に限定されるものではない。本実施形態においては、左辺４ａと侵入防止部材２０との間に板バネからなる付勢部材２３を設けることとしたが、例えば、端部８ａと侵入防止部材２０との間に引張バネからなる付勢部材を介在させてもよい。また、侵入防止部材２０に弾性力を作用させずに、補強用板金８の開閉動作に伴って侵入防止部材２０を上記と同様に揺動させるべく、補強用板金８と侵入防止部材２０とを単に連係（接続）させることとしてもよい。
【００３８】
また、本実施形態においては、前枠６に補強用板金８が固定される場合について説明したが、補強用板金８は必須ではない。したがって、前枠６と侵入防止部材２０とが直接接触するように構成してもよいし、また、前枠６に設けた補強用板金８とは別の部材と侵入防止部材２０とが接触するようにしてもよい。
【００３９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【符号の説明】
【００４０】
４     …中枠（第１枠体）
６     …前枠（第２枠体）
１０   …ヒンジ機構
１１   …第１本体部
１１ａ  …平面部
１３   …回転軸部
２０   …侵入防止部材
２０ａ  …湾曲面
２３   …付勢部材
【図１】
2013146335.tif 000003
【図２】
2013146335.tif 000004
【図３】
2013146335.tif 000005
【図４】
2013146335.tif 000006
【図５】
2013146335.tif 000007
【図６】
2013146335.tif 000008